(57)【要約】      （修正有）【課題】点滴薬容器や酸素ボンベを搭載し、付属ベルトで患者の腰上部に固定して、手を使わず体で牽引する屋内・屋外両用カートを提供する。【解決手段】車輪をつけた前・後脚のうち簡単な前脚の上げ下げと、付属ベルトの着脱だけで病室内・病棟内・病棟外を一台で兼用可能な構造にする。付属ベルトを閉め前脚を上げれば病棟外も自由に歩ける。体で牽引するためハンドル機能不要で両手が空き、自分のカートが視野に入らないため束縛感も少ない。また、屋内・屋外兼用タイプなので病院側も設備投資や保有スペースが低減できる。【選択図】図７
2009028478.tif 000002
【特許請求の範囲】
【請求項１】
手を使わず患者自身の体で牽引する方式の、病室内・病棟内・病棟外を一台で兼用可能な点滴用カート。
【請求項２】
手を使わず患者自身の体で牽引する方式の、屋内・屋内を一台で兼用可能な酸素ボンベ用カート。
【請求項３】
手を使わず患者自身の体で牽引する方式の、病室内・病棟内・病棟外を一台で兼用可能な点滴・酸素ボンベ両用カート。
【請求項４】
移動時吊り下げ式点滴薬容器のぶらつきを抑制する点滴薬容器のアームクランパー。
【発明の詳細な説明】
【技術分野】
【０００１】  本発明は、患者が点滴や酸素吸入を受けながら、病室内・病棟内・病棟外を問わず１台で患者の自由な歩き回りを可能にし、かつ、手を使わない体による牽引式カートである。
【背景技術】
【０００２】  従来から、患者が点滴中でも病室内や病棟内を歩行出来るようにキャスターを取り付けた点滴スタンドがある。また、病院や医療施設内を患者が自分の手や上体で押しながら歩行出来る歩行車に点滴棒を付加装着出来る物もある。さらに点滴中に屋外に出て行ける様に、点滴薬の吊り下げ金具を患者の上体に直接ベルト等で締め付けて装着する器具もある。また、酸素吸入をしながらの歩行用として、患者が片手で引き歩くタイプの酸素ボンベ用カートがある。
【特許文献】  上記の従来技術物件に関する特許出願の有無、及び特許文献の存在に関しては承知していない。
【発明の開示】
【発明が解決しようとする課題】
【０００３】  しかし、既存の点滴スタンドはあくまで点滴が主機能のため病棟外での使用は想定しておらず、逆に既存の歩行車はあくまで歩行補助が主機能なため点滴用として病室内での常用は想定していない。また、点滴薬吊り下げ金具を患者の上体に直接装着する器具の場合も、屋外に出て行く移動上の問題はないが、装着器具自体の自重に加え点滴薬の重量を健康体ではない患者が直接受ける事になり患者への負荷が大きい。また、器具を装着したまま病室のベッドに横になる事が出来ないため、ベッドと屋外を行き来する度ごとに器具を着脱し、点滴薬を病室用の点滴スタンドに架け替える作業が発生する。従って点滴や酸素吸入をしながら、患者が病室内・病棟内・病棟外を自由に器具交換やそれに伴う作業をする事なく歩き回る事を、一台で可能にする器具が存在しない現状である。【０００４】  そして、既存の点滴スタンドや歩行車、及び酸素ボンベ用カートは患者が手や腕で押したり引いたりして利用する構造のため、歩行は可能でも手に何らかの障害がある人は利用出来ない。また、物を持ちながらの歩行にはおのずから制約が発生する。
【課題を解決するための手段】
【０００５】  この課題を解決するための請求項１の発明は、主柱上部に点滴薬を架け、主柱下部の３脚状の脚先端にはそれぞれ車輪を取付けて、このうちの前脚だけは上げ下げが可能な構造にする。病室内や短い病棟内の歩行時は前脚を下げ３脚の自立状態にして使用する事もできるし、病棟外に出る時や比較的長い病棟内の歩行時には前脚を上げ２脚にして使用する事もできる。その時は主柱中央部に取付けた付属ベルトの位置を、主柱が地面におおよそ垂直になる様に高さ調節し、患者本人の腰上部に固定し手を使わず体で牽引する構造にする。つまり、上げた前脚の役割りを代わりに患者の体が受け持つかたちになるが、カート自体や点滴薬の重量を患者が直接受ける事もなく、患者が進む方向にカートはついて来るためハンドル機能も不要で両手が空く。さらに患者とカートの接点が腰の付属ベルトなので、重心的にも器具が転倒する可能性は限りなく低い。（図１参照）【０００６】  また、請求項２の発明は、主柱下部に酸素ボンベを搭載し、主柱下部の４脚状の脚先端にはそれぞれ車輪を取付け、このうちの前脚だけは上げ下げが可能な構造にする。自宅や病室内では前脚を下げ４脚の自立状態にして使用する事もできるし、外出時や病棟外に出る時は前脚を上げ２脚にして使用する事もできる。その時は主軸上部に取付けた付属ベルトの位置を、主柱が地面におおよそ垂直になる様に高さ調節し、患者本人の腰上部に固定し手を使わず体で牽引する構造にする。つまり、上げた前脚の役割りを代わりに患者の体が受け持つかたちになるが、カート自体や酸素ボンベの重量を患者が直接受ける事もなく、患者が進む方向にカートはついて来るためハンドル機能も不要で両手が空く。さらに患者とカートの接点が腰の付属ベルトなので、重心的にも器具が転倒する可能性は限りなく低い。（図５参照）【０００７】  そして、請求項３の発明は、主柱上部に点滴薬、主柱下部に酸素ボンベを搭載し、主柱下部の４脚状の脚先端にはそれぞれ車輪を取付けて、このうちの前脚だけは上げ下げが可能な構造にする。病室内や短い病棟内の歩行時は前脚を下げ４脚の自立状態にして使用する事もできるし、病棟外に出る時や比較的長い病棟内の歩行時には前脚を上げ２脚にして使用する事もできる。その時は主柱中央部に取付けた付属ベルトの位置を、主柱が地面におおよそ垂直になる様に高さ調節し、患者本人の腰上部に固定し手を使わず体で牽引する構造にする。つまり、上げた前脚の役割りを代わりに患者の体が受け持つかたちになるが、カート自体や点滴薬、酸素ボンベの重量を患者が直接受ける事もなく、患者が進む方向にカートはついて来るためハンドル機能も不要で両手が空く。さらに患者とカートの接点が腰の付属ベルトなので、重心的にも器具が転倒する可能性は限りなく低い。（図７参照）【０００８】  さらに、請求項４の発明は、点滴しながらの歩行時に点滴スタンドに吊り下げた点滴薬容器が、移動中の振動で振られてゆれるのを抑制する装置である。メインポール最上部の点滴薬を架けるフックのすぐ下に、左右一対取付けるアーム式のクランパーである。点滴薬容器の大小やビニールバッグタイプ、ボトルタイプ等あらゆる種類に対応できる様に、点滴薬容器をアームではさんで固定する構造で���る。（図９参照）
【発明の効果】
【０００９】  患者は点滴中・酸素吸引中であっても、当カートの前脚の上げ下げと付属ベルトの留め外しをするだけで、病棟内にとどまらず芝生上や多少の凹凸や段差がある病棟外の庭や遊歩道も自由に歩行が可能となる。また、病室内・病棟内・病棟外を一台で兼用する構造であるため、その度ごとに屋内用・屋外用、点滴用・歩行補助用などの器具切り替えに伴う点滴薬の架け替え、酸素ボンベの載せ替えなどの面倒な作業が発生せず、したがって看護士などの手助けを受ける必要もない。しかもカートが直接自分の視野に入らないためカートへの拘束感・束縛感などのストレスが発生しにくい。一方、病院側としても兼用タイプであるため設備投資が低減でき、さらにこれらを含む多くの器具保有のための床面積を少なくする効果が生まれる。【００１０】  さらに、患者の腰上部に付属ベルトで固定して体で牽引する移動方式なので両手が空き自由になる。このため患者は杖・本・飲み物・傘などの物を手に持ちながら歩く事が可能になる。また、足に障害があり両手に松葉杖が必要な患者も利用が可能となる。さらに、前脚の上げ下げと付属ベルトの着脱だけしてもらえば、手に何らかの不自由がある人でさえも利用可能となる。本発明で、早い回復のために早期からの歩行やリハビリを推奨する病院側に対し、これまで点滴や酸素吸入のために事実上ベッドに束縛された入院生活を余儀なくされてきた多くの入院患者は、点滴中や酸素吸引を受けながらであっても、軽いリハビリを受けたり病棟外を散歩したり日光浴などをする自由を獲得する。
【実施例】
【００１１】  図２は、請求項１の実施例である。図は前脚を下げた状態を後方から見た斜視図である。２脚で利用する時、患者は当カートの前に背を向けて立ち、背受け１５を腰の上にあてがいベルト１６のバックルを閉め固定する。次に左右の前脚上下レバー１２を両手でつかみ、図中の点線矢印の様に前方へ引くと図中の実線矢印で示した様な動きでアクシス板７を回転軸として前脚１は上げられる。逆に下げる時は前脚上下レバー１２をつかみ後方へ引く。前脚１を下げると前脚下ストッパー５が前脚下ストッパー受け６にホールドされ、上げると前脚上ストッパー３が前脚上ストッパー受け４にホールドされる。前脚１を上げた状態では前輪２は地面に接地せず、後輪１０だけが接地する構造である。また主柱１８の中ほどは、背受け１５、ベルト１６が患者の歩行に伴う細かな腰の高さ位置の変化を吸収し、坂道の上り下り時の主柱の傾きを調整するジョイント１４でベルト高さアジャスター１３に連結されている。患者の腰の位置に合わせ主柱１８が地面におおよそ垂直になる様に高さ調節を行い、ベルト高さ調節つまみ１７で固定する構造であるが、この高さ調節は最初に一度だけ行えばよい。２脚時は患者の体が上げた前脚１の代わりをするため、カートにハンドル機能は不要で、しかも腰の位置で連結しているので重心的にもカート転倒の可能性は極めて低い。なお、ベルト１６は着脱が簡単なようにテープアジャスターバックル式のベルトが望ましい。また、後輪１０は屋外の凹凸のある地面の走行を考慮し前輪２に比べ車輪の直径を１．５〜２倍程度大きくするのが望ましい。【００１２】  図６は、請求項２の実施例である。図は前脚を下げた状態を後方から見た斜視図である。前脚１は図中の両端矢印線で示した様な動きでアクシス板７を回転軸として上げ下げができる。前脚１を下げると前脚下ストッパー５が前脚下ストッパー受け６にホールドされ、上げると前脚上ストッパー３が前脚上ストッパー受け４にホールドされる。前脚１を上げた状態では前輪２は地面に接地せず、後輪１０だけが接地する構造である。さらに、主柱１８の中ほどの酸素ボンベ受けアーム２２に酸素ボンベ受け２１が固定されており、酸素ボンベは後から載せ降ろしする構造である。そして、主柱１８上部には、背受け１５、ベルト１６が患者の歩行に伴う細かな腰の高さ位置の変化を吸収し、坂道の上り下り時の主柱の傾きを調整するジョイント１４でベルト高さアジャスター１３に連結されている。患者の腰の位置に合わせ主柱１８が地面におおよそ垂直になる様高さ調節を行い、ベルト高さ調節つまみ１７で固定する構造であるが、この高さ調節は最初に一度だけ行えばよい。２脚時は患者の体が上げた前脚１の代わりをするため、カートにハンドル機能は不要で、しかも腰の位置で連結しているので重心的にもカート転倒の可能性は極めて低い。なお、ベルト１６は着脱が簡単なようにテープアジャスターバックル式のベルトが望ましい。また、後輪１０は屋外の凹凸のある地面の走行を考慮し前輪２に比べ車輪の直径を１．５〜２倍程度大きくするのが望ましい。【００１３】  図８は請求項３の実施例である。図は前脚を下げた状態を後方から見た斜視図である。２脚で利用する時、患者は当カートの前に背を向けて立ち、背受け１５を腰の上にあてがいベルト１６のバックルを閉め固定する。次に左右の前脚上下レバー１２を両手でつかみ、図中の点線矢印の様に前方へ引くと図中の実線矢印で示した様な動きでアクシス板７を回転軸として前脚１は上げられる。逆に下げる時は前脚上下レバー１２をつかみ後方へ引く。前脚１を下げると前脚下ストッパー５が前脚下ストッパー受け６にホールドされ、上げると前脚上ストッパー３が前脚上ストッパー受け４にホールドされる。前脚１を上げた状態では前輪２は地面に接地せず、後輪１０だけが接地する構造である。さらに、主柱１８の最下部の酸素ボンベ受けアーム２２に酸素ボンベ受け２１が固定されており、酸素ボンベは後から載せ降ろしする構造である。また主柱１８の中ほどは、背受け１５、ベルト１６が患者の歩行に伴う細かな腰の高さ位置の変化を吸収し、坂道の上り下り時の主柱の傾きを調整するジョイント１４でベルト高さアジャスター１３に連結されている。患者の腰の位置に合わせ主柱１８が地面におおよそ垂直になる様に高さ調節を行い、ベルト高さ調節つまみ１７で固定する構造であるが、この高さ調節は最初に一度だけ行えばよい。２脚時は患者の体が上げた前脚１の代わりをするため、カートにハンドル機能は不要で、しかも腰の位置で連結しているので重心的にもカート転倒の可能性は極めて低い。なお、ベルト１６は着脱が簡単なようにテープアジャスターバックル式のベルトが望ましい。また、後輪１０は屋外の凹凸のある地面の走行を考慮し前輪２に比べ車輪の直径を１．５〜２倍程度大きくするのが望ましい。【００１４】  図１０は請求項４の実施例である。メインポール２３最上部のフック２４の下に左右一対アームクランパー３２を取付ける。図はメインポール２３の左側がアームクランパー３２を閉じた状態で、開く時はサブアームアクシスａ２６を持って図中の実線矢印の方向に引っ張る。なおアームクランパー３２が完全に閉じた状態でもメインアームアクシス２８とサブアームアクシスａ２６が先当りするので４本のアーム２５同士は密着しない。従ってビニールバッグタイプ容器内の薬液の流れを塞き止める事はない。また右側がアームクランパー３２を最大に開いた状態である。メインアームアクシス２８、サブアームアクシスａ２６、サブアームアクシスｂ２７の内部にはそれぞれコイルバネが収められていて、常に図中の点線矢印の方向に力が働いているが、この力で点滴薬容器をホールドする構造である。また、左右のアームクランパー３２はメインポール２３上をスライダー２９を上下させることで高さ調節が可能で、スライダー固定つまみ３０で位置固定する。点滴薬容器はボトルタイプ、ビニールバッグタイプに大別されるが、種類も大きさもまちまちである。しかしこの構造により全て対応が可能となる。これにより従来移動時揺れるがままであった点滴薬容器の動きをしっかりと抑制できる。
【産業上の利用の可能性】
【００１５】  本発明に係る屋内・屋外両用体牽引式点滴・酸素ボンベ用カートは、工業的に量産する事が可能であるため、産業上の利用の可能性を有する。
【図面の簡単な説明】
【００１６】
【図１】  請求項１の斜視図である。左図は前脚を上げ２輪の状態にし、患者が本カートを付属ベルトで固定した状態を横方向から見た斜視図である。右図は前脚を下げて３輪の自立状態にしたところを、前方から見た斜視図である。
【図２】  請求項１の斜視図である。右図は前脚を下げた状態を後方から見た斜視図、左図は前・後脚及び主柱の交点部の拡大斜視図である。
【図３】  左図が請求項１の開前脚時の正面図、右図が開前脚時の右側面図である。
【図４】  左図が請求項１の閉前脚時の正面図、右図が閉前脚時の右側面図である。
【図５】  請求項２の斜視図である。左図は前脚を上げ２輪の状態にし、患者が本発明品を付属ベルトで腰上部に固定した状態を横方向から見た斜視図である。右図は前脚を下げて４輪の自立状態にしたところを、前方から見た斜視図である。
【図６】  請求項２の斜視図である。右図は前脚を下げた状態を後方から見た斜視図、左図は前・後脚及び主柱の交点部の拡大斜視図である。
【図７】  請求項３の斜視図である。左図は前脚を上げ２輪の状態にし、患者が本カートを付属ベルトで固定した状態を横方向から見た斜視図である。右図は前脚を下げて４輪の自立状態にしたところを、前方から見た斜視図である。
【図８】  請求項３の斜視図である。右図は前脚を下げた状態を後方から見た斜視図、左図は前・後脚及び主柱の交点部の拡大斜視図である。
【図９】  請求項４の斜視図である。実際に異なる形の点滴薬容器を吊り下げ、アームクランパーでホールドした状態を後方から見た斜視図である。
【図１０】  請求項４の斜視図である。左側のアームクランパーは非使用時、右側は最大に開いた状態を後方から見た時の、説明のための斜視図である。
【符号の説明】
【００１７】１  前脚      ２  前輪      ３  前脚上ストッパー      ４  前脚上ストッパー受け
５  前脚下ストッパー      ６  前脚下ストッパー受け      ７  アクシス板
８  バンパー９  後脚      １０  後輪      １１  後輪ストッパー
１２  前脚上下レバー１３  ベルト高さアジャスター１４  ジョイント
１５  背受け      １６  ベルト      １７  ベルト高さ調節つまみ１８  主柱
１９  点滴薬高さ調節つまみ      ２０  点滴液フック２１  酸素ボンベ受け
２２  酸素ボンベ受けアーム    ２３  メインポール    ２４  フック    ２５  アーム
２６    サブアームアクシスａ２７  サブアームアクシスｂ
２８  メインアームアクシス      ２９  スライダー      ３０  スライダー固定つまみ
３１  角度安定板３２  アームクランパー
【図１】
2009028478.tif 000003
【図２】
2009028478.tif 000004
【図３】
2009028478.tif 000005
【図４】
2009028478.tif 000006
【図５】
2009028478.tif 000007
【図６】
2009028478.tif 000008
【図７】
2009028478.tif 000009
【図８】
2009028478.tif 000010
【図９】
2009028478.tif 000011
【図１０】
2009028478.tif 000012